【手続補正書】
【提出日】平成20年7月30日(2008.7.30)
【手続補正１】
【補正対象書類名】明細書
【補正対象項目名】特許請求の範囲
【補正方法】変更
【補正の内容】
【特許請求の範囲】
【請求項１】  透明の媒体に、保護アンダーコートを得る方法であって、
透明の媒体の下面にカットされていない保護アンダーコート材料を施すステップであって、該透明の媒体がベースに支持されており、該カットされていない保護アンダーコート材料が熱と圧力とによって、キャリア側と転写側とを有するドナーウェブのキャリア側の一部に均一に施されており、該キャリア側がキャリアリボン材料を含み、該転写側が該カットされていない保護アンダーコート材料を含み、該ドナーウェブが上流の供給ロールの巻きから広げられ、下流の巻き取りロールに巻き取られ、該供給ロールと巻き取りロールとが該ドナーウェブに張力を与え、該巻き取りロールからのトルクが該ドナーウェブを引っ張って、該キャリアリボン材料から、該透明の媒体の表面に付着する該アンダーコート材料の一部を解放する、ステップを含み、
該解放される部分が、熱と圧力とが施される縁により規定され、トリミングされることなく、該キャリアリボン材料から縁において完全に離れ、
該ベースの外面の少なくとも一部が、該外面への該アンダーコート材料の付着に耐性の表面材料を含む、
方法。
【請求項２】  キャリアリボン材料を含むキャリア側と、カットされていない保護アンダーコート材料を含む転写側とを有するドナーウェブであって、該転写側がカットされていない保護アンダーコート材料として透明の媒体の表面に施され、該ドナーウェブが上流の供給ロールの巻きから広げられ、下流の巻き取りロールに巻き取られ、該供給ロールと巻き取りロールとが該ドナーウェブに張力を与え、該巻き取りロールからのトルクが該ドナーウェブを引っ張って、該キャリアリボン材料から、該透明の媒体の表面に付着するアンダーコート材料の一部を解放する、ドナーウェブと、
該透明の媒体の下面に該アンダーコート材料を施す加熱／加圧要素であって、該加熱／加圧要素が、該透明の媒体の表面と等しいサイズ及び形状を有する表面、または、該透明の媒体の表面全体に熱と力とを施す少なくとも一つの熱ローラを含み、該加熱／加圧要素表面またはローラがドナーウェブに熱と圧力とを均一に施し、該熱と圧力とが該ドナーウェブの該転写側を通って該アンダーコート材料の一部を、該透明の媒体の下面に付着させ、該アンダーコート材料の一部が、透明の媒体の下面に向かって位置し、該透明の媒体がベースに支持されている、加熱／加圧要素と
を含む装置であって、
該解放される部分が、熱と圧力とが施される縁により規定され、トリミングされることなく、該キャリアリボン材料から縁において完全に離れ、
該ベースの外面の少なくとも一部が、該外面への該アンダーコート材料の付着に耐性の表面材料を含む、
装置。
【請求項３】  透明の媒体のインクジェット印刷された表面に、保護アンダーコートを得る方法であって、
透明の媒体のインクジェット印刷された下面にカットされていない保護アンダーコート材料を施すステップであって、該下面が少なくとも一つのインクジェットインクで印刷された画像を含み、該透明の媒体がベースに支持されており、該カットされていない保護アンダーコート材料が熱と圧力とによって、キャリア側と転写側とを有するドナーウェブのキャリア側の一部に均一に施されており、該キャリア側がキャリアリボン材料を含み、該転写側が該カットされていない保護アンダーコート材料を含み、該ドナーウェブが上流の供給ロールの巻きから広げられ、下流の巻き取りロールに巻き取られ、該供給ロールと巻き取りロールとが該ドナーウェブに張力を与え、該巻き取りロールからのトルクが該ドナーウェブを引っ張って、該キャリアリボン材料から、該透明の媒体の下面に付着するアンダーコート材料の一部を解放する、ステップを含み、
該解放される部分が、熱と圧力とが施される縁により規定され、トリミングされることなく、キャリアリボン材料から縁において完全に離れ、
該ベースの外面の少なくとも一部が、該外面へのアンダーコート材料の付着に耐性の表面材料を含む、
方法。
【請求項４】  前記少なくとも一つのインクジェットインクで印刷された画像が、水ベースのインクで印刷されている、請求項３に記載の方法。
【請求項５】  前記少なくとも一つのインクジェットインクで印刷された画像が、染料ベースのインク及び顔料ベースのインクからなる群から選択されるインクで印刷されている、請求項３に記載の方法。
【請求項６】  前記少なくとも一つのインクジェット印刷された画像からの過度の水分が、アンダーコート材料の前記一部を通って消失する、請求項３に記載の方法。
【請求項７】  前記透明の媒体のインクジェット印刷された下面に、前記カットされていない保護アンダーコート材料を施す前に、前記下面の前記少なくとも一つのインクジェットインクで印刷された画像が、放射加熱装置、伝導加熱装置、対流送風装置、赤外線装置、赤外線放射加熱要素、紫外線装置、およびマイクロ波装置からなる群から選択される乾燥器により乾燥される、請求項３に記載の方法。
【請求項８】  キャリアリボン材料を含むキャリア側とカットされていない保護アンダーコート材料を含む転写側とを有するドナーウェブであって、該転写側がカットされていない保護アンダーコート材料として透明の媒体のインクジェット印刷された下面に施され、該ドナーウェブが上流の供給ロールの巻きから広げられ、下流の巻き取りロールに巻き取られ、該供給ロールと巻き取りロールとが該ドナーウェブに張力を与え、該巻き取りロールからのトルクが該ドナーウェブを引っ張って、該キャリアリボン材料から、該透明の媒体のインクジェット印刷された表面に付着する該アンダーコート材料の一部を解放する、ドナーウェブと、
該透明の媒体のインクジェット印刷された下面に該アンダーコート材料を施す加熱／加圧要素であって、該加熱／加圧要素が、該透明の媒体の表面と等しいサイズ及び形状を有する表面、または、該透明の媒体の表面全体に熱と力を施す少なくとも一つの熱ローラを含み、該加熱／加圧要素表面またはローラが該ドナーウェブに熱と圧力とを均一に施し、該熱と圧力とが該ドナーウェブの該転写側を通って該アンダーコート材料の一部を、該透明の媒体のインクジェット印刷された下面に付着させ、該アンダーコート材料の一部が、該透明の媒体の下面に向かって位置し、該透明の媒体がベースに支持されている、加熱／加圧要素と
を含む装置であって、
該解放される部分が、熱と圧力とが施される縁により規定され、トリミングされることなく、該キャリアリボン材料から縁において完全に離れ、
ベースの外面の少なくとも一部が、該外面への該アンダーコート材料の付着に耐性の表面材料を含む、
装置。
【請求項９】  前記少なくとも一つのインクジェットインクで印刷された画像が、水ベースのインクで印刷されている、請求項８に記載の装置。
【請求項１０】  前記少なくとも一つのインクジェットインクで印刷された画像が、染料ベースのインク及び顔料ベースのインクからなる群から選択されるインクで印刷されている、請求項８に記載の装置。
【請求項１１】  前記少なくとも一つのインクジェット印刷された画像からの過度の水分が、アンダーコート材料の前記一部を通って消失する、請求項８に記載の装置。
【請求項１２】  前記透明の媒体のインクジェット印刷された表面に、前記カットされていない保護アンダーコート材料を施す前に、前記下面の前記少なくとも一つのインクジェットインクで印刷された画像が、放射加熱装置、伝導加熱装置、対流送風装置、赤外線装置、赤外線放射加熱要素、紫外線装置、およびマイクロ波装置からなる群から選択される乾燥器により乾燥される、請求項８に記載の装置。